(57)【要約】【課題】電力ケーブルをデバイスに接続するコネクタ【解決手段】多室構造の耐腐蝕性絶縁プラスチック製のハウジングを有するコネクタが、可撓性電力ケーブルを固定デバイスと関連する設備に接続するために提供される。ハウジングの一方の端部は、固定デバイスにボルト留めされる。ハウジングの反対側端部および中央部は、接続された電力ケーブルを備えるブッシュを受け入れるエントランスを有する。フロートアダプタブッシュが、アダプタを装着する機器と凹部の間に発生する熱膨張と熱収縮に対応するために、ハウジングと凹部の間に配置される。複数のハウジングは一体に組み合わされることができる。【選択図】図１
2004519979.tif 000002
【特許請求の範囲】
【請求項１】
可撓性電力ケーブルを固定デバイスに接続するための電力コネクタであって、
前記コネクタは、絶縁材料から作られ、１つの開放端部と、前記開放端部から離間した少なくとも１つのエントランスとを有するハウジングと、前記絶縁ハウジングを固定デバイスに固定するために前記開放端部と関連する手段を有し、
前記ハウジングの前記エントランスにある導電部を有し、前記導電部は内部に凹部を備えており、
前記導電部と外部の可撓性ケーブルの間を電気的に接続するために、前記ハウジングのエントランスに適切に取り付けられたブッシュを有し、
前記可撓性ケーブルを前記導電部に電気的に接続するためのブリッジアダプタを有し、前記ブリッジアダプタは、前記ブッシュが温度変化によって生じる膨張と収縮に適応するために前記エントランスに取り付けられたとき、前記凹部内で適切にスライド移動され、
前記エントランスにおける前記導電部と前記固定デバイスに関連する他部との間の電気的接続を完成するための手段を有する電力コネクタ。
【請求項２】
各エントランス内の導電金属部と前記エントランスのそれぞれに接続されたブッシュとを備える前記ハウジングに対し少なくとも２つの前記エントランスが存在する請求項１記載の電力コネクタ。
【請求項３】
複数の電力コネクタと、１対の前記コネクタを相互接続するための導電母線を有する手段が存在しており、前記導電母線は、前記ブッシュと前記１対のコネクタのそれぞれにおける前記金属部の間に接続される請求項１記載の電力コネクタ。
【請求項４】
各エントランスにおいて前記金属部の１つと関連する複数の前記エントランスと前記金属部が存在しており、前記エントランスの１つは、前記ハウジングの中央に配置され、前記中央エントランスにおける前記金属部は、中央エントランスに接続されたチューリップ状のジャックを有し、前記ジャックは、前記ハウジング内に囲まれた関連部分のプラグをうけいれるためにフィンガのシリンダの形態をなしている請求項１記載の電力コネクタ。
【請求項５】
前記関連部分は、スイッチ、トランス、ヒューズ、およびトランジューサのグループから選択される請求項４記載の電力コネクタ。
【請求項６】
導電性材料で製造されフィンを有する薄いデバイスは、ブリッジアダプタと前記ブリッジ接点が前記凹部内にスライドする前記凹部との間の良好な電気的接触を保証するためにブリッジアダプタを取り囲む請求項１記載の電力コネクタ。
【請求項７】
複数のブッシュと、複数の室と、耐腐蝕性で電気的に絶縁性の材料で製造される細長いハウジングとを有する高電圧電力コネクタであって、前記細長いハウジングの一方の端部は、前記ハウジングを固定面に取り付けるための手段を有し、前記細長いハウジングの対向する各端部と中央セクションは、前記ブッシュの１つと関連して電気的接続を行うための導電部を収容するエントランスを有し、前記導電部の各々は、前記導電部とその関連するブッシュとの間に電気的接触を行うためのブリッジアダプタを備える凹部を有し、前記ブリッジアダプタは、熱変化に起因する膨脹／収縮に対応するために前記ハウジングおよび前記エントランスの１つにおいて前記導電部に関連して形成されるジャックに取り付けられたとき、前記凹部内に適切にスライドし、前記ジャックは、前記ハウジングに挿入される部品のプラグを適切に受け入れる高電圧電力コネクタ。
【請求項８】
請求項７記載の高電圧コネクタおよび前記導電部の関連する１つと前記各ハウジングの関連するブッシュの間に連結された母線によって前記複数のハウジングを電気的に互いに接続するための手段。
【請求項９】
請求項８記載の高電圧コネクタおよび前記母線内の開口を貫通して延出するステムを有するカップ状スペーサ部材であって、前記ブリッジアダプタの１つは、前記母線を、前記カップ状スペーサ部材と前記１つのブリッジアダプタの間に捕捉するために前記ステムに連結されており、前記１つのブリッジアダプタは、前記導電部の１つの凹部内をスライドし、第２のブリッジアダプタは、前記の関連するブッシュと関連して前記カップ状スペーサ部材のカップ内をスライドするスペーサ部材。
【請求項１０】
請求項７記載の高電圧コネクタおよび前記ハウジングの１つのエントランスを前記ハウジングの他方のエントランスに取り付けることによって一体に接続された複数の相互連結された前記ハウジング。
【請求項１１】
前記相互接続されたハウジングは、異なる方向からやって来るワイヤを受け入れるために互いに対し異なる角度で接続された請求項１０記載のコネクタ。
【請求項１２】
前記ハウジングの少なくとも数室内にある部品を含み、前記部品は、スイッチ、トランス、ヒューズおよびトランジューサのグループから選択される請求項１１記載の高電圧コネクタ。
【請求項１３】
温度に起因する膨張／収縮が存在する場合に２つのデバイスを接続するための電気コネクタであって、前記コネクタは、取り付けられた接続スタッドを備える第１の導電手段と、前記接続スタッドに取り付けられたブリッジアダプタと、前記ブリッジコネクタがその内部をスライドすることができる凹部を備える第２の導電手段とを有し、前記ブリッジアダプタは、前記第１の導電手段が膨張／収縮に対応するために前記第２の導電手段に取り付けられたとき、前記凹部内をスライドすることができ、薄い可撓性金属部が前記アダプタと前記凹部の内側壁の間で電気的接触を行なうために前記アダプタに重なってフィットする電気コネクタ。
【請求項１４】
温度に起因する膨張／収縮が存在する場合に２つのデバイスを接続するための電気コネクタであって、前記コネクタは、取り付けられた接続スタッドを備える第１の導電手段と、前記接続スタッドに取り付けられた多接点ブリッジアダプタと、前記多接点ブリッジアダプタが内部をスライドすることができる凹部を有する第２の導電手段と、前記アダプタと前記凹部の内側壁との間の電気的接触を行うために前記アダプタに重なってフィットする薄い可撓性金属部とを有し、前記導電手段は、ステムを備えるカップ状部材であり、前記凹部は、前記カップ状部材の内側に形成されており、前記多接点アダプタは、前記カップ状部材の前記ステムに取り付けられ、前記第２の手段は、前記第２の多接点アダプタをスライドして受け入れるための凹部を備え、薄い可撓性金属部は、前記第２のアダプタと前記カップ状部材の間で電気的接触を行うために前記多接点アダプタと重なってフィットしている電気コネクタ。
【請求項１５】
前記第１の導電手段は、１つのブッシュであり、前記第２の導電手段は、コネクタハウジングへの１つのエントランスにおける電気的導電部である請求項１３記載のコネクタ。
【請求項１６】
温度に起因する膨張／収縮が存在する場合に２つのデバイスを接続するための電気コネクタであって、前記コネクタは、取り付けられた接続スタッドを備える第１の導電手段と、前記接続スタッドに取り付けられた多接点ブリッジアダプタと、前記多接点ブリッジアダプタが内部をスライドすることができる凹部を有する第２の導電手段と、前記アダプタと前記凹部の内側壁との間の電気的接触を行うために前記アダプタに重なってフィットする薄い可撓性金属部とを有し、前記第１の導電手段は１つのブッシュであり、前記第２の導電手段は、１つのカップ状スペーサと母線であり、前記スペーサは、前記ハウジングから電力を取り出すために前記ブッシュを受け入れるための場所を提供する電気コネクタ。
【請求項１７】
可撓性電力ケーブルを固定デバイスに接続するための電力コネクタであって、前記コネクタは、
絶縁材料から製造され、１つの開口端部と前記開口端部から離間した少なくとも１つのエントランスを備えるハウジングと、前記絶縁ハウジングを固定デバイスに固定するために前記開口端部と関連する手段と、
前記ハウジングの前記エントランスの導電部とを有し、前記導電部は内部に凹部を備えており、
前記導電部と可撓性ケーブルの間に電気的接続を行なうために前記ハウジングのエントランスに取り付けられるブッシュと、
前記導電部を前記ブッシュと電気的に接続するためのブリッジアダプタとを有し、前記ブリッジアダプタは、前記ブッシュが、温度変化に起因する膨脹と収縮に対応するために、前記エントランスに取り付けられたとき、前記凹部内を適切にスライドし、
前記ハウジングのエントランスと前記ブッシュの間に配置された弾性ガスケットと、前記導電部と前記固定デバイスの間の電気的接続を完成するための手段を有する電力コネクタ。
【請求項１８】
可撓性電力ケーブルを固定デバイスに接続するための電力コネクタであって、
前記コネクタは、
絶縁材料から製造され、１つの開口端部と前記開口端部から離間した少なくとも１つのエントランスを備えるハウジングと、前記絶縁ハウジングを固定デバイスに固定するために前記開口端部と関連する手段と、
前記ハウジングの前記エントランスの導電部とを有し、前記導電部は内部に凹部を備えており、
前記導電部と外部可撓性ケーブルの間に電気的接続を行なうために前記ハウジングのエントランスに取り付けられるブッシュと、
前記ハウジングのエントランスと前記ブッシュの間に配置された弾性ガスケットと、前記導電部と前記固定デバイスの間の電気的接続を完成するための手段を有する電力コネクタ。
【請求項１９】
可撓性電力ケーブルを固定デバイスに接続するための電力コネクタであって、
前記コネクタは、
絶縁材料から製造され、１つの開口端部と前記開口端部から離間した少なくとも１つのエントランスを備えるハウジングと、前記絶縁ハウジングを固定デバイスに固定するために前記開口端部と関連する手段とを有し、前記ハウジングは、他の諸デバイスを適切に収容する少なくとも１つの室を備え、
前記ハウジングの前記エントランスの導電部を有し、前記導電部は、内部に凹部を備えており、
前記導電部と外部可撓性ケーブルの間の電気的接続を行うために前記ハウジングのエントランスに取り付けられるブッシュと、
前記ブッシュを前記導電部に電気的に接続するためのブリッジアダプタと、
前記導電部と前記固定デバイスの間の電気的接続を完成するための手段と、
前記ハウジングの前記室の少なくとも１つに配置された部品を備え、前記部品は、スイッチ、トランス、ヒューズ、および、トランジューサのグループから選択される電力コネクタ。
【請求項２０】
可撓性電力ケーブルを固定デバイスに接続するための電力コネクタであって、
前記コネクタは、
絶縁材料から製造され、１つの開口端部と前記開口端部から離間した少なくとも１つのエントランスを備えるハウジングと、前記絶縁ハウジングを固定デバイスに固定するために前記開口端部と関連する手段とを有し、前記ハウジングは、他の諸デバイスを適切に収容する少なくとも１つの室を備え、
前記ハウジングの前記エントランスの導電部を有し、前記導電部は、内部に凹部を備えており、
前記導電部と外部可撓性ケーブルの間の電気的接続を行うために前記ハウジングのエントランスに取り付けられるブッシュと、
前記導電部と前記固定デバイスの間の電気的接続を完成するための手段と、
前記ブッシュを前記導電部に電気的に接続するためのブリッジアダプタを有し、前記ブリッジアダプタは、前記ブッシュが、温度変化に起因する膨脹と収縮に対応するために前記エントランスに取り付けられたとき、前記凹部内を適切にスライドして移動され、
前記ハウジングの前記エントランスと前記ブッシュの間に配置された弾性ガスケットと、
前記導電部と作動的に関連するジャックとを有し、前記ジャックは、前記ハウジング内に挿入される部品のプラグを適切に受け入れる電力コネクタ。
【請求項２１】
前記アダプタと前記導電部の間の電気的接続を完成させるために前記ブリッジアダプタと取り外し可能に重なってフィットする薄い金属部を更に含む請求項２０記載の電気コネクタ。
【請求項２２】
前記少なくとも１つの室内に配置された部品を更に含み、前記部品は、スイッチ、トランス、ヒューズ、および、トランジューサのグループから選択される請求項２０記載の電気コネクタ。
【発明の詳細な説明】
【０００１】
この発明は、電力分配分野における可撓性部材を剛性部材に接続するための接続体手段、より特定すれば、そのような接続を多くの異なる構造において、多くの異なる任意のコンポーネントと行なうためのユニバーサルな手段に関する。
【０００２】
従来技術の電力ラインコネクタの１例として、ＵＳ特許第３，９６１，１２７号が参照される。このタイプのコネクタは、極めてよく機能するが、ユニバーサルな適用ができないという固有の限界を有している。第１には、接続されるケーブルはすべて可撓性なのでコネクタのジョイントが完全には支持されない。累積する機械的誤差に起因する欠陥に関連する諸問題を克服するために、完全な可撓性が設定される。極端な場合には、温度が広範囲に変化する間におけるこれらの累積する収縮が、コネクタにプラグをソケットから引き抜かせる原因となる。
【０００３】
第２の問題は、従来技術のコネクタは、これらが、一般に「ＷＹＥ」、「ＴＥＥ」または「Ｈ」ジョイントと称される特殊な形態で製造されることを要した点である。「特殊な形態」を用いるという要件は、オプションを生来的に制限するとともに、時として不恰好な接続構造体を作り出す傾向がある。
【０００４】
完全に可撓性のあるジョイントを使用することに関するなお別の問題は、特殊な用途のためにより好都合な添え継ぎ（ｓｐｌｉｃｅ）またはクランプを求めるよりもむしろ特殊なタイプの添え継ぎを行い、特殊なクランプデバイスを使用する必要につながる点である。
【０００５】
これらおよびこれらと似た従来技術における限界は、電気的断線、遮断、完全な破壊を導きかねない状況をもたらす傾向があった。
【０００６】
したがって、可撓性電力ケーブルを固定装着デバイスに結合するユニバーサルコネクタに対するニーズが存在している。このコネクタは、コネクタと共用されるスイッチ、トランス、ヒューズ、トランジューサ等のような殆ど任意の適当なデバイスを収容しなければならない。それは、異なった形態において利用可能であるべきである。
【０００７】
この発明の様相に歩調を合わせて、硬質の成形されたプラスチックハウジングが、高圧電流を伝送する中心の導電体、デバイス等を包囲し、収容する。このハウジングは、電力ケーブルへのアクセスを提供する複数のエントランスを持っている。各エントランスは、非導電性の弾性ガスケットによって隔てられた２つの合わせコンポーネントを有する。合わせコンポーネントが適当なクランプ力で連結されるときは、侵入環境に抗してハウジングをシールすることと、非導電性の対圧抵抗力（ｄｉｅｌｅｃｔｒｉｃ ｗｉｔｈｓｔａｎｄ ｃａｐａｂｉｌｉｔｙ）を提供することの両方を行う弾性ガスケットの制御された圧縮が存在する。特に有用な１具体例においては、ハウジングが、可動の駆動ロッドによって制御される真空遮断器を収容している。
【０００８】
この発明は、添付図面とともに参照される下記の明細によって最もよく理解されるであろう。
【０００９】
図１は、この発明のコネクタ２０の模範的な分解組立図を示し、ここではこのコネクタは、空のハウジングとして示されている。ハウジングは、エポキシ樹脂のような耐腐食性のある任意の適当な材料製の外側本体２２を有する。このハウジングは、２つの室を備えている。ここに示すように、１つの開放近位端部２１と、近位端部から離れたハウジングへの２つのエントランス２４，２６が存在し、ハウジング内の各室へはそれぞれ１つのエントランスが存在している。各ハウジングエントランスは、２つの嵌め合い関係にあるフラットな面のコンポーネント２８、３０および３２、３４をそれぞれに持ち、これらは、ボルトで一体に接続される。ハウジングは、組み立てられた後のパーツの集合体を対象に成形されるか、または、先ず成形を行った後にパーツがハウジングの内部に挿入される。
【００１０】
各エントランスにおいて、１つまたは複数の弾性ガスケット３６、３７、３８がフラットな面２８、３０の間および３２、３４の間にそれぞれ配置される。フラットな面がボルト接続されるとき、関連する弾性ガスケット３６‐３８は、２つの対向面のインターフェースにおいて制御された圧縮量を受け入れて、エントランス２４、２６をシールして、水蒸気、塵埃その他の不要な外環境物質の侵入を防止する。同時にまた、これらのガスケットは、高電位にある中心導電体５６、８２と地上電位にある外側面との間に非電気的な対圧抗力（ｄｉｅｌｅｃｔｒｉｃ ｗｉｔｈｓｔａｎｄ ｃａｐａｂｉｌｉｔｙ）を提供する。
【００１１】
この例においては、ジャック４４，４６に差し込むように設計された適当な商業的に入手可能なコネクタ４３によって電気的接続を行うために、アダプタブッシュ部材４０、４２が、ハウジングのエントランス２４、２６に設けられる。これらのコネクタは、電力ケーブルの端部に弾性エルボー４７を備えており、前記エルボーはケーブルとエルボーの中間部下方にワイヤ４５を装着している。このエルボーは、アダプタブッシュ４０または４２の外側面にスリップして重なるとともに、ワイヤ４５の端部のプラグ４９がブッシュの開口４４または４６内にスリップして進入する。
【００１２】
別体のマルチ接点のブリッジアダプタ４８、４９、５０が、スペーサ５６および符号２８、３０と３２、３３で示すフラットな面を有する導電金属の一部内の符号５１、５２、５３で示される凹部内にスライドして嵌まり合う。このマルチ接点のブリッジアダプタは、これらの凹部内にスライドして、温度変化に対応して発生する膨張と収縮に適応する能力を有している。
【００１３】
薄く繊細な銅の導電体５５は、それぞれのスライドするブリッジアダプタ４８‐５０の面に嵌合されて、凹部５１‐５３の内壁との間に良好な電気的接触を保証している。カップ状のスペーさ５６がブリッジアダプタ４８と４９の間に介在してユニバーサルコネクタ６２を受け入れるためのスペースを提供する。ねじ山を持つジョイントスタッド５４が、ブッシュ４０のねじ山を切った孔５４ａとブリッジアダプタ４８内のねじ山を切った孔５４ｂに嵌合されて、これらを単一のユニットとして一体に保持する。スペーさ５６のねじ山が切られたステム６０が、マルチ接点ブリッジアダプタ４８のねじ山が切られた開口６１内に嵌り込む。
【００１４】
導電体の母線６３を含むユニバーサルコネクタ６２を介してこの発明の数基のコネクタを相互接続するために手段が設けられる（図３）。このユニバーサルコネクタ６２が図１に示されており、このコネクタは、６３‐６２線に沿う断面である。より特定すれば、コネクタ６２は、プラスチック製（好ましくはエポキシ樹脂製）カバー体６４内に収納され
た銅製の母線（ｂｕｓ ｂａｒ）である。母線の両端部は、円形のワッシャ状部材６６に作り込まれており、アダプタブッシュ部材４０とハウジングエントランス２４の面２８との間に嵌め込まれて、この発明のコネクタ２２に現われる電力の利用を提供する。この銅製のワッシャ６６は、スペーサカップ５６のねじ山を切ったステム６０を受け入れて通過させる中心孔６８を有している。良好な電気的接続を行うために、母線の銅製ワッシャ状端部６６は、カップ５６の底部とステム６０内にねじ込まれるマルチ接点ブリッジアダプタ４９の間に捕捉される。弾性ガスケット３６、３７は、アダプタブッシュ部材４０、ユニバーサルコネクタ６２、およびハウジングエントランス２４をシールする。したがって、例えば、アダプタブッシュ部材を介して導入された電力は、導電線６３を経て２つ以上の多数のコネクタ２２へと取り出される。
【００１５】
ポイントは、多数の異なる外形構造が、適切なパーツとアダプタを選択することによって適合されることが可能だからである。
【００１６】
コネクタハウジング２０は、３つのパーツ７２、７４、７６をなして製造され、接合剤、または熱溶着のような適当な態様によって、１つの耐熱性ハウジングとなるように連結されるか、単一物品に成形される。この場合、内部のパーツは、これらが成形作業中に一体に接合されるかカプセル化される前にハウジングパーツをなして挿入することができる。エントランス２６において、１つの端部金属接点部材７８は、内部にマルチ接点ブリッジアダプタ５０がスライドして進入する凹部５３を具備している。（金属接点部材のような）任意の適当なデバイスが、ハウジングの一部分７４内の室８０内にスライドして進入することができ、接点部材は、符号８２で示すように、端部部材７８にボルトで固定される。
【００１７】
ハウジング内中央には、ばねの性質を備える弾性金属で製造されるシリンダー状部材８４の形態を呈するチューリップ状ジャックが配置されている。多数の細長いフィンガーが、シリンダー８４の長手方向に沿って形成されるスリット８６によって分離されている。そのようなフィンガーは６本あることが好ましい。円形ばね８８がシリンダ８４内においてフィンガーを包囲している。フィンガーと円形ばね８８は、ともに、シリンダ８４によって形成されるチューリップ状ジャックの中心に滑り込む（図示しない）プラグに作用する良好な接圧力を保証するジャックを形成する。
【００１８】
様々なパーツ７８‐８８が組み立てられた後、ハウジングがこれらのパーツの上に成形されるか、或いは、ハウジングの部分７２‐７６が一緒に接合されるが、どちらを取るかは作業の容易性と製造コストによって決まる。
【００１９】
ハウジング部分７２の室８３は、やはり、この発明のコネクタと共用される多数の任意の適当なデバイスの１つを適切に受け入れる。より特定すれば、開口端部２１を閉じる端部プレート９０内の開口部８９は、特に組み込むのに適当な任意のすべての機器のためのエントランスを提供する。通常、（符号９２で示す）４つのボルトが閉鎖プレート９０（図２）をハウジング部分７２に取り付けている。これらのボルトは、この発明のコネクタを剛性面９４に装着可能にする。ハウジング部分７２エントランスには、その周囲に段差が形成されて、ハウジング部分７２の装着される端部キャップ９０の中心あわせとシールに好都合なようにするとともに、それによって室９３を閉じる。
【００２０】
ハウジング内のスペースは、スイッチ、トランス、ヒューズ、トランジューサ等のような任意の適当なデバイスを収容することができる。図５は、例示を介して、真空遮断器（ｖａｃｕｕｍ ｉｎｔｅｒｒｕｐｔｅｒ）９５を収容するハウジングを示している。真空遮断器９５は、過負荷状態においてヒューズまたはサーキットブレーカとしてきのうすることができる商業的に入手可能なパーツである。
【００２１】
真空遮断器はその下端部に、チューリップ状ジャック８４に嵌合して電気的接点となるプラグ９７を備えることができる。したがって、室８０内のデバイスは、導電性金属部分８２に電気的に接続されている。
【００２２】
図５に示す特別な例において、真空遮断器９５は、導電部材７８、５３、５０を介してブッシュ４６に接続される固定接点１００を有している。可動接点１０２が、ジャック８４とパーツ８２、５２、４９、５６（図１）および４８を介してブッシュ４０に接続されている。適当な駆動ロッド１０４が底部プレート９０の開口８９を通って延出している。戻しばね１０６は、ロッド１０４が（図示しない）適当な手段の制御の下で接点１００、１０２を開閉するために所望の位置を取ることを可能とし、それによって、エントランス２４と２６の間の回路を閉成しまた遮断する。
【００２３】
図４は、模範的な組み込み構造を示しており、ボックス１０８は、任意の適当な決まったデバイスを表している。それは多分トランスであろう。この発明の３つのコネクタ７４，１１０，１１２がボックス１０８に取り付けられている。（図示しない）可撓性電力ケーブルが符号１１４でアダプタブッシュ４０に接続されており、他の適当な部位に電力を取り出すことができる。なお、（図示しない）他の電力ケーブルはアダプタブッシュ４０ａと４０ｂに接続することができ電力を他の場所に送ることができる。
【００２４】
更に、ユニバーサルコネクタ６２の母線６３は、この発明の（図示しない）他のコネクタに電力を送ることができる。母線６３の反対側端部は、同様な態様で、この発明の（図示しない）別のコネクタまたは他の適当なデバイスの他のアダプタブッシュに連結される。
【００２５】
ユニークな装置を提供するために複数のユニバーサルコネクが集積される。例えば、図６は、互いの間に弾性ガスケットを介在させてエントランス２６ａ、２６ｂにおいてボルト連結で一体化されることによって端部同士が組み合わされた２つのコネクタ２６ａ、２６ｂを示している。図７は、中間に弾性ガスケット３７を挟んでエントランス２６ｃ、２６ｄにおいてボルト結合されることによって背部同士が組み合わされた２つのコネクタを示す。
【００２６】
この原理を拡大することによって、多数の異なるコネクタを多数の異なる配向をなして結合することが可能となる。例えば、３つのコネクタのうち、端部同士または背部同士に組み合わされた２つのコネクタにもう１つのコネクタを連結することができる。複数のコネクタハウジングは、電力ケーブルは、それらがたとえ、東西南北の方向からやって来ようと、あるいは、１つが上方から、１つが下方から、他の２つが両側方からやって来ようと、これらを連結することが可能なように、ハウジングの長手方向軸が互いに直角となるように取り付けることができる。多数の可能性が存在している。
【００２７】
コネクタハウジングを重ね合わせる別の理由は、設備の色々な部品を特定の場所に配置したいというユニークなニーズに合わせるために組み合わせることである。例えば、室またはスペース８０ａ（図６）は、真空遮断器を含むことが可能である。室またはスペース８３ｂは、過負荷が存在しないときは、電力を遮断する再閉鎖部材（ｒｅ−ｃｌｏｓｕｒｅ）すなわち熱スイッチを含むことができる。再閉鎖用スイッチは、瞬間的に互いに接触するｓｗｉｎｇｉｎｇ ｓｈｏｒｔ ａｎｄ ｔｗｏ ｐｏｗｅｒ ｌｉｎｎｓが存在するときは、回路を開き、これらがスイングして離れるときは回路を再閉鎖する。室８３ｂ内の熱スイッチは、異常な熱が存在するとき、回路を開くであろう。その理由は、モータが回転を停止するときは、マニュアルのリセットボタンまたは他の制御デバイス１２０がコネクタ２２ｂの上面１２２に設けられることができるからである。
【００２８】
室またはスペース８０ｂは、何かが固定されるまでは電力が復活されないことを保証するであろう燃え尽きたヒューズを収容することができる。この１例は、火が熱スイッチをつまずかせる（ｔｒｉｐ）ことがないように、遮断するファンであろう。もしも、火が消えて熱スイッチが再び閉じて、ファンが回転し火を再点火する。燃え尽きるヒューズはそのような再スタートを防止するであろう。
【００２９】
再度言及するが、余分な部品を収容するコネクタの可能な有用性は殆ど無限である。要点は、任意の適当な部品が選択されて特定の場所におけるユニークな要件をベースとしてハウジング内に組み合わされることである。
【００３０】
電力の取り出し技術に詳しい当業者であれば、この発明の精神と技術的範囲に落ちる様々な変形を容易に認識するであろう。したがって、添付のクレームはあらゆる均等構造をカバーするように構成される。
【図面の簡単な説明】
【図１】
この発明のコネクタの分解組立図。
【図２】
図１の２‐２線に沿う底部平面図。
【図３】
母線（ｂｕｓ ｂａｒ）形態におけるユニバーサルコネクタと図１のこの発明のコネクタの２つを相互に連結するための関連パーツの透視図。
【図４】
この発明の３つのコネクタの斜視図および隣り合うコネクタを相互接続するためにある母線の斜視図。
【図５】
真空遮断機に関連して用いられるハウジングを示すことによって１つの利用を示す。
【図６】
模範的な単一形態を提供するために、この発明の２つのコネクタがどのようにしてその端部同士が連結されるかを図解する図。
【図７】
別の模範的単一形態に対応するために、この発明の２つのコネクタがどのようにしてそれらの尾部同士が連結されるかを図解する図。
【図１】
2004519979.tif 000003
【図２】
2004519979.tif 000004
【図３】
2004519979.tif 000005
【図４】
2004519979.tif 000006
【図５】
2004519979.tif 000007
【図６】
2004519979.tif 000008
【図７】
2004519979.tif 000009
【国際公開パンフレット】
2004519979.tif 000010
2004519979.tif 000011
2004519979.tif 000012
2004519979.tif 000013
2004519979.tif 000014
2004519979.tif 000015
2004519979.tif 000016
2004519979.tif 000017
2004519979.tif 000018
2004519979.tif 000019
2004519979.tif 000020
2004519979.tif 000021
2004519979.tif 000022
2004519979.tif 000023
2004519979.tif 000024
2004519979.tif 000025
2004519979.tif 000026
2004519979.tif 000027
2004519979.tif 000028
【国際調査報告】
2004519979.tif 000029